(57)【要約】【課題】これら表材と裏材とを備えてなるものであって、その相互の固定が簡素な構成でしかも簡単な作業で行えるようにしたパネル、及びそのパネルの固定に使用する止着部材を提供する。【解決手段】パネルたる扉２ａ、２ｂを、その表材３と裏材４とを、自由端側の縁部において、表材３の自由端側折曲部３５に取り付けた状態で、その表材３を裏材４に対してスライド移動させることによって、これら表材３と裏材４とを少なくとも面板部３１、４１の厚み方向に沿って離間するのを規制して仮止めする仮止部材７によって仮止めし、取付端側の縁部において、回転動作を利用して表材３と裏材４とに跨るように取り付けて、その取付位置でこれら表材３と裏材４とが面板部３１、４１の厚み方向及び面板部の面方向に沿って離間するのを禁止する止着部材８によって止着するようにした。【選択図】図３
2004092018.tif 000002
【特許請求の範囲】
【請求項１】
表材と裏材とを備え、前記表材の面板部と裏材の面板部とを所定距離離間させて対向させた状態で相互に固定するようにしたパネルであって、
対向する一対の縁部の一方側において、表材又は裏材の何れか一方に取り付けた状態で、表材又は裏材の何れか一方を他方側へスライド移動させることによって、これら表材と裏材とを少なくとも前記面板部の厚み方向に沿って離間するのを規制して仮止めする仮止部材と、
対向する一対の縁部の他方側において、回転動作を利用して前記表材と裏材とに跨るように取り付けて、その取り付けた状態でこれら表材と裏材とが前記面板部の厚み方向及び面板部の面方向に沿って離間するのを禁止してこれら表材と裏材とを止着する止着部材とによって表材と裏材とを固定していることを特徴とするパネル。
【請求項２】
前記対向する一対の縁部の他方側において、前記表材と裏材とが係合した状態で前記表材の面板部と裏材の面板部との間に前記厚み方向に沿った板部同士の突き合わせ部を形成するようにし、前記止着部材をこの突き合わせ部に跨るように取り付けるようにしている請求項１記載のパネル。
【請求項３】
前記取付位置において前記突き合わせ部に形成した挿通路を通じて前記突き合わせ部に跨るように位置付けられ表材及び裏材の前記面方向及び前記厚み方向に沿った離間を禁止する係合部と、この係合部をその取付位置で移動不能に定着させる戻止部とを具備してなる請求項２記載のパネル。
【請求項４】
前記突き合わせ部が外部に表出されない状態で形成されるものであり、前記表材又は裏材の何れか一方のその突き合わせ部近傍に、前記係合部を前記挿通路に導く挿入孔を形成し、取付位置において前記戻止部の少なくとも一部を、この挿入孔から外部に露出させるようにしている請求項３記載のパネル。
【請求項５】
前記対向する一対の縁部の他方側において、表材の面板部の端部を折り曲げて表材側折曲部を形成するとともに、裏材の面板部の対応する端部を折り曲げて裏材側折曲部を形成して、これら表材側折曲部、裏材側折曲部それぞれを構成する前記厚み方向に沿った板部同士によって前記突き合わせ部を構成している請求項２、３又は４記載のパネル。
【請求項６】
前記取付位置において前記表材側折曲部又は裏材側折曲部を構成する面方向に沿った板部に内側から当接して表材と裏材とが前記厚み方向に沿って離間するのを禁止する第１の当たり面と、前記突き合わせ部に外方から当接して表材と裏材とが面方向に沿って離間するのを禁止する第２の当たり面とを形成して構成している請求項５記載のパネル。
【請求項７】
前記戻止部が、表材又は裏材に形成した係合孔を経過的に変形して通過し、その弾性復帰力によって当該係合孔に対して係合する弾性爪を備えたものである請求項３、４、５又は６記載のパネル。
【請求項８】
前記対向する一対の縁部の一方側において、表材にはその面板部より後方に位置して面方向に沿った第１の板部を、裏材にはその面板部より前方に位置して面方向に沿った第２の板部を形成して、
前記仮止部材をこれら面方向に沿った第１の板部又は第２の板部の何れか一方を、前記厚み方向に挟み込む姿勢で取り付けるようにし、この仮止部材を取り付けた第１の板部又は第２の板部の何れか一方と、当該仮止部材との隙間に他方を圧入して差し込むようにしている請求項１、２、３、４、５又は６記載のパネル。
【請求項９】
前記面方向に沿った第１の板部と第２の板部とを、表材及び裏材の縁部から内方に突出するように形成し、前記仮止部材を、その縁部よりも内側に位置するように表材又は裏材の何れか一方に取り付けている請求項８記載のパネル。
【請求項１０】
前記対向する一対の縁部の一方側において、表材の面板部の端部を折り曲げて第２の表材側折曲部を設けるとともに、裏材の面板部の対応する端部を折り曲げて第２の裏材側折曲部を設けて、これら第２の表材側折曲部又は第２の裏材側折曲部の何れか一方に、前記仮止部材を取り付けるようにしている請求項８又は９記載のパネル。
【請求項１１】
前記第２の表材側折曲部によって第１の板部を形成するとともに、前記第２の裏材側折曲部によって前記第２の板部を形成するようにしている請求項１０記載のパネル。
【請求項１２】
前記仮止部材が、表材又は裏材に形成した仮止部材係合孔に経過的に変形して通過し、その弾性復帰力によって当該仮止部材係合孔に対して係合する弾性爪を備えたものである請求項８、９、１０又は１１記載のパネル。
【請求項１３】
表材と裏材とを備えたパネルを、前記表材の面板部と裏材の面板部とを所定距離離間させて対向させた状態で相互に固定するためのものであって、
回転動作を利用して、前記表材と裏材との係合状態において前記表材の面板部と前記裏材の面板部との間にその面板部の厚み方向に沿った板部同士によって外部に表出されない状態で形成される突き合わせ部に跨るように取り付けられ、その取付位置において前記表材と裏材とが前記面板部の厚み方向及び面板部の面方向に沿って離間するのを禁止してこれら表材と裏材とを止着する止着部材。
【請求項１４】
前記表材又は裏材の何れか一方の前記突き合わせ部の近傍に形成した挿入孔から挿入され回転動作によってその突き合わせ部に形成した挿通路を通じて前記突き合わせ部に跨り表材及び裏材の前記面方向及び前記厚み方向の離間を禁止した取付位置に位置付けられる係合部と、少なくとも一部を外部に露出した状態で前記係合部を前記取付位置から移動不能に定着させる戻止部とを備えてなる請求項１３記載の止着部材。
【発明の詳細な説明】
【０００１】
【発明の属する技術分野】
本発明は、表材と裏材とを互いに取り付けてなるパネル及び、このパネルを取り付けるための止着部材に関するものである。
【０００２】
【従来の技術】
従来、収納家具の収納空間を開閉させる扉や引出しの前板等のパネル、またその他のパネルは、例えば裏板と前面を形成する鏡板など、裏材と表材とを相互に固定して構成したものが多く見られる。
【０００３】
そして、これら裏材と表材との固定の手法としては、例えば、ねじを利用したもの、また、縁部をかしめて固定するようにしたものなどが広く知られている。
【０００４】
【発明が解決しようとする課題】
ところが、このようなものであると、一旦固定してしまうと、例えば、表板のみを交換しようとした場合には、適宜の工具を必要とする上にその取外作業は煩雑なものとなってしまうという不具合を有していた。加えて、表材や裏材にねじ孔やかしめ等の傷が付いてしまうという不具合もあった。
【０００５】
そこで、これら表材と裏材とを備えてなるものであって、その相互の固定が簡素な構成でしかも簡単な作業で行えるようにしたパネル、及びそのパネルの固定に使用する止着部材を提供する。
【０００６】
【課題を解決するための手段】
すなわち、本発明は、表材と裏材とを備え、前記表材の面板部と裏材の面板部とを所定距離離間させて対向させた状態で相互に固定するようにしたパネルであって、対向する一対の縁部の一方側において、表材又は裏材の何れか一方に取り付けた状態で、表材又は裏材の何れか一方を他方側へスライド移動させることによって、これら表材と裏材とを少なくとも前記面板部の厚み方向に沿って離間するのを規制して仮止めする仮止部材と、対向する一対の縁部の他方側において、回転動作を利用して前記表材と裏材とに跨るように取り付けて、その取り付けた状態でこれら表材と裏材とが前記面板部の厚み方向及び面板部の面方向に沿って離間するのを禁止してこれら表材と裏材とを止着する止着部材とによって表材と裏材とを固定していることを特徴とするパネルである。このようなものであれば、表材と裏材とに、予め仮止部材及び止着部材を取り付けるための加工を施しておけば、これら表材と裏材とを固定する際には、従来のようにねじ止めによるもののように工具等を必要とせず、また表材又は裏材の縁部をかしめることによって固定するような煩雑な作業をすることなく、簡単に固定することができるようになる。このため、例えば表材のみを交換する場合等において取り外し及び付け替え等が簡単に行えるようになる。そして、対向する一対の縁部の一方側を一旦仮止めしてから、他方の縁部を止着することで表材と裏材とを固定することができるようになり、一縁部ごとに取付作業を行うことができ、取付作業を進め易くすることが可能となる。
【０００７】
そして、前記対向する一対の縁部の他方側において、前記表材と裏材とが係合した状態で、前記表材の面板部と裏材の面板部との間に厚み方向に沿った板部同士の突き合わせ部を形成するようにした場合には、この突き合わせ部を利用して当該突き合わせ部に跨るように取り付けるようにすれば好ましい。なお、厚み方向に沿った突き合わせ部とは、その延出方向が厚み方向に沿っておれば、水平方向に沿った板部同士によるものであっても、上下方向に沿った板部同士によるものであってもよい。
【０００８】
また、このように突き合わせ部を利用して取り付けられる止着部材の具体的な態様としては、取付位置において突き合わせ部に形成した挿通路を通じてこの突き合わせ部に跨るように位置付けられ表材及び裏材の面方向及び厚み方向の離間を禁止する係合部と、この係合部をその取付位置で移動不能に定着させる戻止部とを備えて構成したものが挙げられる。なお、挿通路とは、突き合わせ部を貫通する孔や切欠等から構成され、係合部を通過させ得る通路のことである。
【０００９】
そして、突き合わせ部が面板部と面板部の間に外部に表出しないように形成されるものであれば、係合部を挿通路に導くための挿入孔を形成するようにし、取付位置において戻止部の少なくとも一部をこの挿入孔から外部に露出した状態としておくと望ましい。すなわち、この戻止部自体を、取り付け及び取り外しの際に外部から操作できる操作部として機能させることができる。
【００１０】
一方、このような表材及び裏材の好適な具体的態様としては、前記対向する一対の縁部の他方側において、表材の面板部の端部を折り曲げて表材側折曲部を形成するとともに、裏材の面板部の対応する端部を折り曲げて裏材側折曲部を形成して、これら表材側折曲部、裏材側折曲部それぞれを構成する厚み方向に沿った板部同士によって前記突き合わせ部を構成しているものが挙げられる。このようなものであれば、補強や面板部の端部処理のため等に形成する折曲部を、表材と裏材との固定に有効に利用できる。なお、「後方」「前方」とは、パネルの係合位置において表材の面板部を「前方」とし、裏材の面板部を「後方」とした概念である。
【００１１】
そして、このような構成の表材と裏材とに対応する止着部材の係合部の好適な具体的態様としては、前記取付位置において前記表材側折曲部を構成する面方向に沿った板部に内側から当接して表材が裏材に対して厚み方向に沿って前方へ離間するのを禁止する第１の当たり面と、前記厚み方向に沿った突き合わせ部に外方から当接して表材が裏材に対して面方向に沿って外方へ離間するのを禁止する第２の当たり面とを形成したものが挙げられる。
【００１２】
一方、係合部を取付位置で定着させる戻止部の構成としては、弾性爪を備え、その弾性爪の経過的に変形させて表材又は裏材に形成した係合孔を通過させるとともに、その弾性復帰力によって当該係合孔に対して係合するようにすれば簡便である。
【００１３】
また、前記対向する縁部の一方側においては、表材にはその面板部より後方に位置して面方向に沿った第１の板部を、裏材にはその面板部より前方に位置して面方向に沿った第２の板部を形成して、前記仮止部材をこれら面方向に沿った第１の板部又は第２の板部の何れか一方を、厚み方向に挟み込む姿勢で取り付けるようにし、この仮止部材を取り付けた第１の板部又は第２の板部の何れか一方と、当該仮止部材との隙間に他方を圧入して差し込むようにしている。
【００１４】
また、このような面方向に沿った第１の板部と第２の板部を、縁部から内方に突出するように形成して、仮止部材を前記一方の縁部よりも内側に位置するように表材又は裏材の何れか一方に取り付けるようにすれば好ましい。このようなものであれば、仮止部材を隠蔽することができて外観を良好なものとすることができ、また一方の縁部に例えば引手のような別部材を取り付けるのに好適だからである。
【００１５】
より具体的には、前記対向する一対の縁部の一方側において、表材の面板部の端部を折り曲げて第２の表材側折曲部を設けるとともに、裏材の面板部の対応する端部を折り曲げて第２の裏材側折曲部を設けて、これら第２の表材側折曲部又は第２の裏材側折曲部の何れか一方に、前記仮止部材を取り付けるようにすれば望ましい。さらに、この第２の表側折曲部によって第１の板部を形成するとともに、前記第２の裏材側折曲部によって前記第２の板部を形成するようにすれば、これら第２の表材側折曲部、第２の裏材側折曲部を有効に活かし、別途仮止めのための煩雑な加工を施すことなく仮止めを実現できるようになる。
【００１６】
また、仮止部材を工具などを用いることなく簡単に取り付けられるようにするためには、仮止部材に弾性爪を形成するようにし、その弾性爪の経過的に変形させて表材又は裏材に形成した仮止部材係合孔を通過させるとともに、その弾性復帰力によって当該仮止部材係合孔に対して係合するように構成することが望ましい。
【００１７】
また、パネルの表材と裏材とを簡単に相互に固定できることを実現するための発明としては、表材と裏材とを備えたパネルを、前記表材の表面を形成する面板部と裏材の裏面を形成する面板部とを所定距離離間させて対向させた状態で相互に固定するためのものであって、回転動作を利用して、前記表材と裏材との係合状態において前記表材の面板部と前記裏材の面板部との間にその面板部の厚み方向に沿った板部同士によって外部に表出されない状態で形成される突き合わせ部に跨るように取り付けられ、その取付位置において前記表材と裏材とが前記面板部の厚み方向及び面板部の面方向に沿って離間するのを禁止してこれら表材と裏材とを止着する止着部材が挙げられる。
【００１８】
そして、このような止着部材の具体的な構成としては、前記表材又は裏材の何れか一方の前記突き合わせ部の近傍に形成した挿入孔から挿入されるとともに、その突き合わせ部に形成した挿通路を通じて前記突き合わせ部に跨り表材及び裏材の面方向及び厚み方向の離間を禁止した取付位置に位置付けられる係合部と、前記挿入孔から少なくとも一部を外部に露出した状態で前記係合部を前記取付位置から移動不能に定着させる戻止部とを備えてなるものが挙げられる。
【００１９】
このようなものであれば、外部に表出しない突き合わせ部を利用して、表材と裏材とを止着することができ、戻止部を操作部として機能させ、係合部を挿入孔に対して挿入するとともに前記戻止部を外方から操作して取り付けることができる。
【００２０】
【発明の実施の形態】
以下、本発明の一実施形態を、図面を参照して説明する。
【００２１】
図１及び２に示した収納家具Ａは、内部に収納空間Ｓを有した本体部１と、前記収納空間Ｓの開口縁部Ｋを開閉機構によって開閉し得るものであって本実施形態のパネルである左右の扉２ａ、２ｂとを備えてなり、前記左右の扉２ａ、２ｂを、その閉止位置において表面側に位置する表材３と裏面側に位置する裏材４とを具備して構成したものである。そして、本実施形態においては、開閉機構を構成する構成要素として、ヒンジ機構Ｈと、扉２ａ、２ｂを開成不能に係留するラッチ機構Ｌと、引手６とを設け、これらヒンジ機構Ｈ、ラッチ機構Ｌ及び引手６を、前記裏材４側に組み込むとともに、前記本体部１に取り付けた状態の裏材５に対して、前記表材３を、前記構成要素を干渉しないように着脱可能に装着してある。なお、図２において、ヒンジ機構Ｈ、ラッチ機構Ｌ及び引手６は想像線で示している。
【００２２】
本体部１は、例えばスチール材を折り曲げて成形してなる天板１１、底板１２、背板１３、左右一対の側板１４、１４を筐形に組み付けることによって前面を開口させた収納空間Ｓを形成しているものである。
【００２３】
天板１１は、平面視矩形状をなし、その裏面側前端部に後述するラッチ機構５の係留爪５１が係留可能な被係留部１ａを形成している。この天板１１の対向位置には、天板１１と略同型の底板１２が設けられており、その下端をベース１５によって支持されている天板１１と略同型の底板１２が設けられており、その表面側前端部に天板１１と同様に被係留部１ａを形成している。また、背板１３は、この底板１２の後端部と前記天板１１の後端部とに亘って取り付けられている。また、この背板１３の両側端部から前方へ当該背板１３の略直交方向に延びるように側板１４、１４が取り付けられている。
【００２４】
右扉２ｂは、取付端側である側板１４側に設けた図１、２及び４に想像線で示したヒンジ機構Ｈを利用して前記開口縁部Ｋを開閉すべく回転する回転扉であり、主として表面側を構成する表材３と、主として裏面側を構成する裏材４とを互いに固定してなる正面視矩形状のものである。なお、左扉２ａは、右扉２ｂと同様の構成を有するものであるが、ラッチ機構Ｌを組み込んでおらず、引手６に対応する突出部材６’（図１参照）を取り付けてある。
【００２５】
表材３は、右扉２ｂの表面を形成する面板部３１と、この面板部３１の上端部及び下端部を折り曲げて形成した上折曲部３２及び下折曲部３３と、前記面板部３１の取付端部を折り曲げて形成した表材側折曲部たる取付端側折曲部３４と、自由端部を折り曲げて形成した第２の表材側折曲部たる自由端側折曲部３５とを具備してなるものである。本実施形態においては、対向する一対の縁部の一方側を自由端側の縁部とし、他方側を取付端側の縁部としている。前記面板部３１は、前面開口縁部Ｋの幅方向の略２分の１を短寸、高さ方向を長寸となるように設定し、１対の扉で開口縁部Ｋをほぼ隙間無く覆うようにしたものである。上折曲部３２は、面板部３１の上端部を後方、下方及び前方へ折り曲げて形成したものであり、下折曲部３３は、面板部３１の下端部を後方、上方及び前方へ折り曲げて形成したものである。取付端側折曲部３４は、図２０〜２３に示すように面板部３１の取付端部を後方、内方及び前方に連続して折り曲げて前記面板部３１の厚み方向（以下、厚み方向と略す）に沿った外起立片３４１、前記面板部３１の面方向（以下、面方向と略す）に沿った後起立片３４２及び厚み方向に沿った内起立片３４３を形成して構成したものである。自由端側折曲部３５は、図１４〜１９に示すように面板部３１の自由端部を後方、内方及び後方へ連続して折り曲げて、厚み方向に沿った外起立片３５１、面方向に沿った後起立片３５２及び厚み方向に沿った内起立片３５３を形成して構成したものである。そして、本実施形態においては、図３、５に示すように、開閉機構を構成する構成要素を干渉しない状態で、この表材３を裏材４に対して着脱可能に装着するために、ヒンジ機構Ｈに対応する位置となる前記取付端側折曲部３４に当該ヒンジ機構Ｈの裏材４からの突出方向すなわち取付端部側に開放されその突出部位を挿通させることが可能な大きさに設定した第１の切欠３Ａと、ラッチ機構Ｌを構成し裏材４から突出する後述する係留爪５１に対応する位置に当該係留爪５１の回転動作を許容して挿通させること可能な大きさに設定した第２の切欠３Ｂとを形成している。
【００２６】
一方、裏材４は、前記右扉２ｂの裏面を形成し前記面板部３１と所定距離離間して配置される面板部４１と、この面板部４１の上端部を折り曲げて形成した上折曲部４２と、面板部４１の下端部を折り曲げて形成した下折曲部４３と、面板部４１の取付端部を折り曲げて形成した裏材側折曲部たる取付端側折曲部４４と、面板部４１の自由端部を折り曲げて形成した第２の裏材側折曲部たる自由端側折曲部４５とを具備してなるものである。図２０〜２３に示すように、取付端側折曲部５４は、面板部４１の取付端部を前方、内方へ連続して折り曲げて、厚み方向に沿った外起立片４４１と、面方向に沿った前起立片４４２とを形成して構成したものである。前記外起立片４４１は、前記表材３の取付端側折曲部３４の内起立片３４３に当接させ突き合わせ部Ｆを形成している。すなわち、これら外起立片４４１と、内起立片３４３とが、請求項２〜４の「厚み方向にそった板部」に相当する。前記外起立片４４１は、図１７〜１９に示すように、自由端側折曲部４５は、面板部４１の自由端部を前方、内方へ連続して折り曲げて厚み方向に沿った外起立片４５１と、前記表材３の後起立片３５２と略当接する面方向に沿った第２の面板部たる前起立片３５２とを形成してなるものであり、前記表材側折曲部３５と合わせて扉２ｂの自由端側の縁部を覆うようにしている。また、図４に示すように、前記上折曲部４２の上縁部４２ａと、下折曲部４３の下縁部４３ａ及び取付端側折曲部４４の取付端側の側縁部４４ａを、右扉２ｂの閉止された状態において開口縁部Ｋよりも内側に位置付けるように設定して、裏材４の周縁部と開口縁部Ｋとの間に形成される隙間Ｇ（図中斜線で示している）に、前記表材３の上折曲部３２と、下折曲部３３と、外折曲部３４とが挿入できるようにしている。また、面板部４１の前縁部を、当該裏材４を本体部１に取り付けて閉止位置とした場合に開口縁部Ｋより表材３の面板部３１の略肉厚寸法分奥方へ位置するように設定して、当該裏材４に表材３を装着した場合に、表材３の面板部３１が開口縁部Ｋと面一をなすようにしている。
【００２７】
ヒンジ機構Ｈは、前述したように、想像線で簡略化して示しているが、その一端側を裏材４の取付端側の縁部近傍に上下に形成された切欠部分４ａに図示しないブラケットを介して取り付けるとともに、他端側を前記取付端側の縁部から本体部１側に突出させて当該本体部１の側板１４に固定するようにしたものである。すなわち、このヒンジ機構Ｈによって、裏材４が、本体部１に取り付けられるようになっている。その具体的構成については、従来からよく知られたものであるので、説明を省略する。
【００２８】
ラッチ機構Ｌは、図５〜７に示すように、対向する上下を折り曲げ加工して一対の水平片５４ｂを設けた側面視略コの字形状のベース部材５４に、前記被係留部１ａに係留する係留爪５１と、係留爪５１を軸支する第１の回転軸５２と、係留爪５１を本体部１に係留する方向に弾性付勢するねじりコイルバネ等の付勢手段５３と、引手６に取り付けられ引手６の回転動作を第１の回転軸５２に伝達する伝達部材５５と、引手６に一体的に取り付けられる伝達部材５５を回転可能に支持する第２の回転軸５６とを一体的に取り付けてユニット化したものである。すなわち、本実施形態のラッチ機構Ｌは、従来よく知られたものと異なり、本体部１と係り合う係留爪５１が裏材４と本体部１とを係り合わせるものとなっている。このラッチ機構Ｌの動作について説明すると、引手６を手前側に引くことで、各伝達部材５５と一体的に第２の回転軸５６を支点に図に示す矢印の方向へ回転動作を行う。すると、その回転動作に連動して、各伝達部材５５が天秤動作を行い、各伝達部材５５の起立壁５５ａに対して、第１の回転軸５２の一部に設けられ突部５２ｂを一体に設けてなる押し当て部材５２ａを右扉３の後面側へ押す力が作用し、押し当て部材５２ａが第１の回転軸５２を支点に同期して同図に示す矢印の方向に回転する。その結果、第１の回転軸５２に固定して取り付けられている係留爪５１が押し当て部材５２ａとともに回転し、上下の各係留爪５１の被係留部１ａに対する係留状態を同時に解除する。しかして、このユニット化されたラッチ機構Ｌは、前記係留爪５１を、裏材４の上折曲部４２に形成した貫通孔４２ｂから突出させるとともにベース部材５４の起立壁５４ａ及び上側の水平片５４ｂを裏材４の内方側に溶接等により固定することで裏材４に取り付けてある。
【００２９】
引手６は、図６、７等に示すように、例えば合成樹脂素材を押し出し成形して、上端から下端に亘って前面側に開口する凹部６１と、一方の側面に奥行方向及び巾方向に同時に延びる傾斜面６２と、目隠し部６３とを一体に形成して、右扉２ａの裏材４の一縁部たる自由端側の縁部から突出するように取り付けたものである。すなわち、本実施形態の引手６は、従来よく知られている表板に手を挿入可能な穴部を形成するとともに、その穴部にラッチ機構が連結される操作レバーを配して構成したような引手とは全くその構成を異にして、この一体成形品を右扉２ｂの縁部に外付けするのみで機能するものである。具体的には、凹部６１は、その一部に指先を掛けて操作できるように標準的な成人の指先が十分に入るスペースを有するものである。また、目隠し部６３は、引手６の側面と右扉２ｂの側面との間に引手６の回転動作時に引手６が右扉２ｂに干渉しないように設けた空間Ｓ１を隠蔽するものである。この引手６は、本実施形態においては、上下の縁部近傍に設けられた前記一対のラッチ機構Ｌを構成する伝達部材５５、５５を構成する取り付け片５５ｃ、５５ｃにねじ止めにより固定され、一対のラッチ機構Ｌ、Ｌそれぞれを同期作動可能に連結する機能を有するものである。
【００３０】
しかして、本実施形態では、前記表材３と裏材４とを、裏材４の前記開閉機構を構成する構成要素を組み込んだ位置を避けた領域に対して係合する取付具である仮止部材７及び止着部材８によって固定して、扉２ａ、２ｂを構成している。
【００３１】
これら仮止部材７及び止着部材８を利用するために、前記表材３の自由端側の縁部に図１４〜１９に示すように仮止部材取付部として仮止部材取付孔Ｔ７を形成するとともに、表材３及び裏材４の取付端側の縁部近傍に、図２０〜２３に示すようにこれら表材３及び裏材４に跨る止着部材取付部Ｔ８を形成している。仮止部材取付孔Ｔ７は、仮止部材７と係合するように表材３の自由端側折曲部３５を構成する内起立片３５３の上端部近傍、中間位置及び下端部近傍の３箇所形成されている。また、止着部材取付部Ｔ８は、前記上下一対のラッチ機構Ｌ、Ｌが組み込まれている位置の上方位置と下方位置とに形成され、突き合わせ部Ｆを構成する表材３側の内起立片３４３に切欠Ｔ８１１を形成するとともに裏材４側の外起立片３５１に貫通孔Ｔ８１２を形成して当該突き合わせ部Ｆを貫通する挿通路Ｔ８１と、止着部材８をこの挿通路Ｔ８１に導くように裏材４の前記突き合わせ部Ｆ近傍に形成した挿入孔Ｔ８２と、後述する止着部材８の弾性爪８２１と係り合う係合孔Ｔ８３とからなる。
【００３２】
仮止部材７は、対向する一対の縁部の一方である取付端側の縁部において、表材３に取り付けた状態でその表材３を裏材４側へスライド移動させることによって、これら表材３と裏材４とを少なくとも厚み方向に離間するのを規制して仮止めするものである。具体的には、図８〜１０、１４〜１９に示すように、樹脂等を素材として、平断面形状が略Ｕ字型をなすばねの様に形成され前記仮止部材取付孔Ｔ７に差し込まれる差込部７１と、この差込部７１の上下に当該差込部７１から水平方向に変位して形成した一対の支持部７２とを一体に形成し、正面視概略ハットを立てたような外形をなすものである。差込部７１は、その上下寸法を、前記仮止部材取付孔Ｔ７の上下寸法に略一致させてあり、その上下方向の中間部位には切り込み７１２を入れ、引掛爪７１１１によって前記仮止部材取付孔Ｔ７の開口縁部に係り合う弾性爪７１１を形成している。また、差込部７１と支持部７２とは、第１の板部たる後起立片３５２の板厚寸法より若干大きい寸法だけ離間させてあり、対向する差込部７１の内向面７１ａと支持部７２の内向面７２ａとの間に形成される隙間ｈ（図１０参照）に後起立片３５２を厚み方向に挟み込んだ姿勢で、しかも自由端側の縁部よりも内側位置に取り付けられるようにしている。そして、この仮止部材７を表材３に取り付けた状態で、この後起立片３５２と差込部７１との間に形成される隙間部分に、裏材４の自由端側折曲部４５を構成する第２の板部たる前起立片４５２を圧入することで、仮止状態とするようになっている。すなわち、この時点で表材３と裏材４との面方向に沿った離間が規制された状態となる。
【００３３】
一方、止着部材８は、対向する一対の縁部の他方である自由端側の縁部において、回転動作を利用して前記表材３と裏材４とに跨るように取り付けて、その取付位置でこれら表材３と裏材４とが厚み方向及び面方向に沿って離間するのを禁止してこれら表材３と裏材４とを止着するものである。詳述すると、この止着部材８は、図１１〜１３、２０〜２３等に示すように樹脂等を素材として、挿入孔Ｔ７２から挿入され回転動作によって取付位置において前記挿通路Ｔ８１を通じて突き合わせ部Ｆに跨るように位置付けられ表材３及び裏材４の面方向及び厚み方向の離間を禁止する係合部８１と、前記挿入孔Ｔ７２から少なくとも一部を外部に露出した状態で前記係合部８１を取付位置で移動不能に定着させる戻止部８２とを一体に形成したものである。係合部８１は、平断面形状を略Ｕ字型に成形し、その先端部に取付位置において取付端側折曲部３４の後起立片３４２に内側から当接して表材３が裏材４に対して厚み方向に沿って前方へ離間するのを禁止する第１の当たり面８１ａを形成するとともに、前記突き合わせ部Ｆを構成する内起立片３４３に当接して表材３が裏材４に対して面方向に沿って外方へ離間するのを禁止する第２の当たり面８１ｂとを形成してなるものである。戻止部８２は、弾性爪８２１を備えその弾性爪８２１の弾性復帰力によって係合孔Ｔ８３に係合するようにしたものである。この弾性爪８２１は、取付位置において係合孔Ｔ８３から内部へ突出するように形成され、その引掛爪８２１１が係合孔Ｔ８３の開口縁部の裏側に引っ掛かるように形成したものである。すなわち、この戻止部８２は、取付位置においては、この弾性爪８２１以外の部位が裏材４の外部（背面４１ａ側）へ表出した状態となり、取り付け及び取り外しの際に操作することのできる操作部としても機能することになる。また、この戻止部８２は、前記弾性爪８２１を係合孔Ｔ８３に係合させた取付位置において、裏材４の面板部４１の背面４１ａに密着する押圧面８２ａを形成して表材３と裏材４とをがた無く取り付けられるようにしている。
【００３４】
以下に、表材３と裏材４とを相互に固定して右扉２ｂを構成する場合の手順について説明する。
【００３５】
まず、裏材４に対して、ユニット化されたラッチ機構Ｌを上述したように溶接によって取り付けるようにする。次に、固定されたラッチ機構Ｌを構成する取付片５５ｃに対してねじ止めによって引手６を取り付ける。
【００３６】
次に、一端を本体部１にねじ止め等で固定したヒンジ機構Ｈの他端を、裏材４にねじ止め等により固定しておいた前記ブラケットに対して固定することで、裏材４このヒンジ機構Ｈを介して本体部１に取り付けるようにする。
【００３７】
一方、表材３の自由端側折曲部３５に形成した仮止部材取付孔Ｔ７に弾性爪７１１の弾性変形及び弾性復帰力を利用して、後起立片３５２を挟み込む姿勢で仮止部材７を取り付けて（図１４〜１６）、その状態の表材３を裏材５に内側から接近させ、引手６を取り付けてある自由端側折曲部４５の前起立片４５２を前記表材３の後起立片３５２と差込部７１との間に圧入し、表材３と裏材４とを仮止状態とする（図１７〜１９）。この際、図示例のものでは、表材３と裏材４とが平行をなすようになっているが、裏材４に対して表材３を若干手前側から斜めにスライド移動させて仮止めするようにしてもよい。
【００３８】
そして、表材３の取付端側の縁部を、裏材４の取付端側の縁部に近づけて、その取付端側折曲部４４が表材３の取付端側折曲部３４の内側に位置付けるようにして表材３と裏材４とを係合状態とする。この際、前述のように表材３を手前側から斜めに移動させて仮止めした場合には、その仮止部分を中心として回動させるようにして表材３と裏材４とを係合状態となるようにする。そして、この係合状態において、裏材４の前起立片４４２の前向き面４４２ａが表材３の面板部３１の背面３１ａに当接した状態となって表材３の後方（裏材側）への移動が禁止され、また、突き合わせ部Ｆにおいて表材３の内起立片３４３が裏材４の外起立片４４１に当接することによって、表材３の内方への移動が禁止されている。また、表材３の上折曲部３２、下折曲部３３にそれぞれ裏材４の上折曲部４２、下折曲部４３が内側にほぼ当接することによって、表材３の裏材４に対する上下方向の離間も禁止される。このように係合状態とした表材３と裏材４とを、前述したように表材３の裏材４に対する前方の移動及び外方への移動を禁止する止着部材８で止着する。この止着部材８を、止着部材取付部Ｔ８に対して取り付ける場合の手順は、係合部８１を挿入孔Ｔ８２から挿入し（図２０）、係合部８１の基端部と挿入孔Ｔ８２との接触する部位を回動点として当該係合部８１が挿通路Ｔ８１をように回動させ（図２１）、戻止部８２の弾性爪８２１を経過的に弾性変形して係合孔Ｔ８３へ挿入して（図２２）当該係合孔Ｔ８３へ係り合わせるようにする（図２３）。なお、左扉２ａについても、上述したようにラッチ機構Ｌ及び引手６を組み込まない点を除いては、表材３と裏材４との固定手順は、同様ものものである。
【００３９】
以上説明したように、本実施形態のパネルたる左右の扉２ａ、２ｂによれば、予め表材３に仮止部材係合孔Ｔ７、表材３及び裏材４に止着部材取付部Ｔ８を形成しておけば、これら表材３と裏材４とを固定する際には、従来のようにねじ止めによるもののように工具等を必要とせず、また表材３又は裏材４の縁部をかしめることによって固定するような煩雑な作業をすることなく、仮止部材７と止着部材８とによって簡単に固定することができる。このため、例えば表材３のみを交換する場合等において取り外し及び付け替え等が簡単に行えるようになる。そして、仮止部材７で、自由端部側の縁部を一旦仮止めしてから、取付端部側の縁部を止着部材８でを止着することで裏材４に対して表材３を固定することができ、すなわち、一縁部ごとに取付作業を行うことができ、取付作業を進め易い。
【００４０】
特に、止着部材８を弾性爪８２１及び押圧面８２ａを備えた戻止部８２によって定着するようにし、さらに仮止部材７も弾性爪７１１によって取り付けるようにしているので取付操作が極めて簡単である。
【００４１】
また、止着部材取付部Ｔ８を、表材３及び裏材４に形成した孔及び切欠のみから構成し、さらに、仮止部材７も仮止部材取付孔Ｔ７によって取り付けるようにしているので、簡単な加工で、止着部材８及び仮止部材７を使用することが可能となる。
【００４２】
また、スチール素材からなる表材３及び裏材４の端部の処理や強度の確保のための形成した取付端側折曲部３４、自由端側折曲部４４を利用して、仮止部材７による仮止め、止着部材８による止着を行うようにしているので、表材３及び裏材４に、これら仮止部材７及び止着部材８を利用するための加工を、仮止部材取付孔Ｔ７や止着部材取付部Ｔ８を形成する以外に別途施さずともよい。
【００４３】
仮止部材７を、表材３の自由端側折曲部３５を構成する内起立片３５３に形成した仮止部材取付孔Ｔ７に係合させ表材３の自由端側の縁部より内側に取り付けるようにしているので、仮止部材７を表出させないためその扉２ａ、２ｂの美観を損ねない。特に、本実施形態のように開閉部材たる扉２ａ、２ｂのようにその背面４１ａ側が度々使用者の目に触れるようなパネルに適用した場合、しかも開閉する自由端側の縁部に適用しているのでその奏する効果が大きい。
【００４４】
表材３を裏材４側に内側からスライド移動することによって、自由端側の縁部を仮止めできるようにしているので、本実施形態のように上下の一対のラッチ機構Ｌを同期動作可能に連結するように上下にわたる引手６備えたものであっても、この引手６を裏材４に取り付けたまま、表材３と仮止めすることができる。
【００４５】
本実施形態の止着部材８の奏する効果としては、挿入孔Ｔ８２から挿入し回転させてから弾性爪８２１で係合孔Ｔ８３に係合させるようにし、取付のための操作を３段階以上を経るものとしているので外れにくく、その結果、裏材４と表材３とを強固に固定することができる。しかも、３段階の操作それぞれは力を要するようなものではなく、弾性係合を利用して取り付けるようにしているため取り付け及び取り外しが簡単であり、且つ堅固な固定が可能な止着部材８を提供することができる。
【００４６】
また、この止着部材８は、外部に露出して係合部８１を定着させる戻止部８２と当該係合部８１とを一体に形成してあるので、取り付け及び取り外しの際に戻止部８２を外部から操作可能な操作部として機能させることができ、取り付け及び取り外しに便利である。
【００４７】
なお、本発明は、本実施形態に限らない。
【００４８】
例えば、上記実施形態では、係合状態において表材側の折曲部の内側に裏材側の折曲部を位置付けているが、裏材側に形成した折曲部の内側に表材側に形成した折曲部を位置付けるようにして、これら２つの折曲部を利用して仮止部材及び止着部材によって固定するようにしてもよい。
【００４９】
パネルとして、本実施形態のように収納家具の扉に限らず、引出しの前パネルや、その他種々のパネルであってよい。
【００５０】
また、対向する一対の縁部として、パネルの上縁部と下縁部において、それぞれ仮止部材、止着部材によって固定するようにしたものであってもよい。
【００５１】
また、仮止部材を利用せず、止着部材のみによってのみ裏材と表材とを固定するようにしてもよい。
【００５２】
その他、各部の具体的構成についても上記実施形態に限られるものではなく、本発明の趣旨を逸脱しない範囲で種々変形が可能である。
【００５３】
【発明の効果】
本発明は、以上説明したような形態で実施され、以下に記載されるような効果を奏する。
【００５４】
すなわち、本発明のパネルによれば、表材と裏材とに予め仮止部材及び止着部材を取り付けるための加工を施しておけば、これら表材と裏材とを固定する際には、従来のようにねじ止めによるもののように工具等を必要とせず、また表材又は裏材の縁部をかしめることによって固定するような煩雑な作業をすることなく、簡単に固定することができる。このため、例えば表材のみを交換する場合等において取り外し及び付け替え等が簡単に行うことができる。そして、対向する一対の縁部の一方側を一旦仮止めしてから、他方の縁部を止着することで表材と裏材とを固定することができ、一縁部ごとに取付作業を行うことができ、仮止部材及び止着部材の取付位置を定め易くまた取付作業を進め易い。
【００５５】
また、本発明の止着部材によれば、表材と裏材とによって外部に表出しない状態で面板部の厚み方向に沿った突き合わせ部を有効に利用して、表材と裏材とを、従来のねじ止めのように道具を要さず、また表材乃至裏材の縁部をかしめるような煩雑な作業を行うことなく、簡単に固定することができる。
【図面の簡単な説明】
【図１】本実施形態を適用した収納家具を示す全体斜視図。
【図２】本実施形態の扉を示す斜視図
【図３】本実施形態の扉の分解斜視図。
【図４】本実施形態における裏材を示す一部破断した正面図。
【図５】本実施形態における引手及びラッチ機構を示す正面図。
【図６】本実施形態における引手及びラッチ機構を示す説明図。
【図７】本実施形態における引手及びラッチ機構を示す説明図。
【図８】本実施形態における仮止部材の斜視図。
【図９】本実施形態における仮止部材の正面図。
【図１０】本実施形態における仮止部材の平面図。
【図１１】本実施形態における止着部材の平面図。
【図１２】本実施形態における止着部材の平面図。
【図１３】本実施形態における止着部材の側面図。
【図１４】本実施形態における仮止部材の取付を示す説明図。
【図１５】本実施形態における仮止部材の取付を示す説明図。
【図１６】本実施形態における仮止部材の取付を示す説明図。
【図１７】本実施形態における表材と裏材とを仮止めする手順を示す説明図。
【図１８】本実施形態における表材と裏材とを仮止めする手順を示す説明図。
【図１９】本実施形態における表材と裏材とを仮止めする手順を示す説明図。
【図２０】本実施形態における表材と裏材とを止着する手順を示す説明図。
【図２１】本実施形態における表材と裏材とを止着する手順を示す説明図。
【図２２】本実施形態における表材と裏材とを止着する手順を示す説明図。
【図２３】本実施形態における表材と裏材とを止着する手順を示す説明図。
【符号の説明】
２ａ、２ｂ・・・左扉、右扉（パネル）
３・・・表材
４・・・裏材
３１・・・面板部
３４・・・表材側折曲部（取付端側折曲部）
３４３・・・厚み方向に沿った板部（内起立片）
３５・・・第２の表材側折曲部（自由端側折曲部）
３５２・・・面方向に沿った板部（後起立片）
４１・・・面板部
４４・・・表材側折曲部（取付端側折曲部）
４４１・・・厚み方向に沿った板部（外起立片）
４５・・・第２の裏材側折曲部（自由端側折曲部）
４５２・・・第２の板部
７・・・仮止部材
７１１・・・弾性爪
８・・・止着部材
８１・・・係合部
８２・・・戻止部
８２１・・・弾性爪
Ｔ８・・・止着部材取付部
Ｔ８１・・・挿通路
Ｔ８２・・・挿入孔
Ｔ８３・・・係合孔
Ｆ・・・突き合わせ部
【図１】
2004092018.tif 000003
【図２】
2004092018.tif 000004
【図３】
2004092018.tif 000005
【図４】
2004092018.tif 000006
【図５】
2004092018.tif 000007
【図６】
2004092018.tif 000008
【図７】
2004092018.tif 000009
【図８】
2004092018.tif 000010
【図９】
2004092018.tif 000011
【図１０】
2004092018.tif 000012
【図１１】
2004092018.tif 000013
【図１２】
2004092018.tif 000014
【図１３】
2004092018.tif 000015
【図１４】
2004092018.tif 000016
【図１５】
2004092018.tif 000017
【図１６】
2004092018.tif 000018
【図１７】
2004092018.tif 000019
【図１８】
2004092018.tif 000020
【図１９】
2004092018.tif 000021
【図２０】
2004092018.tif 000022
【図２１】
2004092018.tif 000023
【図２２】
2004092018.tif 000024
【図２３】
2004092018.tif 000025